(57)【要約】  機械室レスエレベータは、建築構造体の昇降路内を昇降するかご（５）と、かごと反対方向に昇降する釣合いおもり（１４）と、かごおよび釣合いおもりを吊り下げるロープ（７）と、ロープを駆動する巻上機（６）とを備え、建築構造体の荷重を支持せず、少なくともかご、釣合いおもり、ロープおよび巻上機の荷重を支持する支持梁が、建築構造体の最上階床梁（４）に支持されている。
2016002042.tif 000002
【特許請求の範囲】
【請求項１】
建築構造体の昇降路内を昇降するかごと、
前記かごと反対方向に昇降する釣合いおもりと、
前記かごおよび前記釣合いおもりを吊り下げるロープと、
前記ロープを駆動する巻上機とを備え、
前記建築構造体の荷重を支持せず、少なくとも前記かご、前記釣合いおもり、前記ロープおよび前記巻上機の荷重を支持する支持梁が、前記建築構造体の最上階床梁に支持されている、
機械室レスエレベータ。
【請求項２】
前記支持梁および前記巻上機は、平面視、投影的にみて、前記かごと昇降路壁との隙間に存在する、
請求項１の機械室レスエレベータ。
【請求項３】
前記支持梁は、第一の支持梁部、第二の支持梁部、第三の支持梁部を含んでおり、
前記第一の支持梁部は、水平かつ相互に平行に延びる一対の梁部材を含み、該第一の支持梁部の前記一対の梁部材はそれぞれ、前記最上階床梁の対応する一対の梁部材それぞれを架橋するように延び、該最上階床梁に固定されており、
前記第二の支持梁部は、一対の梁部材を含み、該第二の支持梁部の前記一対の梁部材はそれぞれ、前記第一の支持梁部の対応する前記梁部材から垂直に延びる一対の脚部分と、それら一対の脚部分の上部を接続するように延びる橋部分とを有しており、
前記第三の支持梁部は、水平かつ相互に平行に延びる一対の梁部材を含み、該第三の支持梁部の前記一対の梁部材はそれぞれ、前記第一の支持梁部の前記一対の梁部材と平行であり、前記第二の支持梁部の対応する前記脚部分を架橋している、
請求項２の機械室レスエレベータ。
【請求項４】
前記巻上機は、前記第三の支持梁部の一方の前記梁部材に設置されている、
請求項３の機械室レスエレベータ。
【請求項５】
前記巻上機は、前記第一の支持梁部の一方の前記梁部材に設置されている、
請求項３の機械室レスエレベータ。
【請求項６】
前記支持梁は、第一の支持梁部、第二の支持梁部、第三の支持梁部を含んでおり、
前記第一の支持梁部は、水平かつ共通の直線上を延びる一対の梁部材を含み、前記第一の支持梁部は、前記最上階床梁の一対の梁部材を架橋するように連続しては延びてなく、前記第一の支持梁部の一対の梁部材のそれぞれが、前記最上階床梁の対応する一つの梁部材から延びて終端しており、
前記第二の支持梁部は、前記第一の支持梁部の対応する梁部材から垂直に延びる一対の柱部材を含んでおり、
前記第三の支持梁部は、水平に延び、且つ、前記第二の支持梁部の前記一対の柱部材の上部を接続するように延びており、
前記巻上機は、前記第三の支持梁部に設置されている、
請求項２の機械室レスエレベータ。
【発明の詳細な説明】
【技術分野】
【０００１】
本発明は、機械室レスエレベータに関するものである。
【背景技術】
【０００２】
例えば、特許文献１に開示されているように、エレベータの昇降路内には、かご及び釣り合いおもりが昇降可能に設けられている。これらかご及び釣り合いおもりは巻上機によって駆動されるロープに吊り下げられている。そして、巻上機によってロープが駆動されることで、かご及び釣り合いおもりが相互に反対方向に昇降される。【０００３】
また、機械室レスエレベータの多くは、エレベータの荷重をレールに支持させている。エレベータの荷重をレールに支持させることにより、建造物側に極力依存しない構造となる為、設計段階で建築構造体への要求（荷重を負荷させる梁位置の擦り合わせ等）が少なくて済む（設計時間が短くて済む）ことや、レールを基準点として機器の位置が正確に出るという利点がある。
【先行技術文献】
【特許文献】
【０００４】
【特許文献１】国際公開第２００６／０３３１６号
【発明の概要】
【発明が解決しようとする課題】
【０００５】
しかしながら、既存の機械室レスエレベータにおいては、上述した利点の一方で、レールがエレベータの荷重を支える構造になっている為、レールのサイズが大きくなってしまい、昇降行程が高くなるとその分レールがエレベータのコストに占める割合が多くなり、コスト高の要因となる問題がある。また、既存の機械室レスエレベータでは、建築構造体の梁がもともと無い位置に、エレベータの荷重を負担する梁（巻上機支持梁、返し車梁、綱止め梁）を新たに付加して設けるため、この新たに付加した梁を、さらに建築構造体に直接接合して当該建築構造体にも荷重負担させることは困難であった。【０００６】
本発明は、上記に鑑みてなされたものであり、レールサイズダウンを可能とし、機器コストの低減を実現することができる、機械室レスエレベータを提供することを目的とする。
【課題を解決するための手段】
【０００７】
上述した目的を達成するため、本発明の機械室レスエレベータは、建築構造体の昇降路内を昇降するかごと、前記かごと反対方向に昇降する釣合いおもりと、前記かごおよび前記釣合いおもりを吊り下げるロープと、前記ロープを駆動する巻上機とを備え、前記建築構造体の荷重を支持せず、少なくとも前記かご、前記釣合いおもり、前記ロープおよび前記巻上機の荷重を支持する支持梁が、前記建築構造体の最上階床梁に支持されている。
【発明の効果】
【０００８】
本発明によれば、レールサイズダウンを可能とし、機器コストの低減を実現することができる。
【図面の簡単な説明】
【０００９】
【図１】本発明の実施の形態１の機械室レスエレベータの平面図である。
【図２】本実施の形態１の機械室レスエレベータのかごおよび梁との関係を模式的に示す図である。
【図３】機械室レスエレベータの主な構成要素を、図１の矢印ＩＩＩからみた状態を示す図である。
【図４】本発明の実施の形態２に関する、図３と同態様の図である。
【図５】本発明の実施の形態３に関する、図１と同態様の図である。
【図６】本実施の形態３に関する、図３と同態様の図である。
【発明を実施するための形態】
【００１０】
以下、本発明に係る機械室レスエレベータの実施の形態について添付図面に基づいて説明する。図中、同一符号は同一又は対応部分を示すものとする。なお、本説明は、図１の平面図の紙面でいう表裏方向を「上下方向」とし、図１の紙面左右方向を「左右方向」とし、図１の紙面の上下方向を「前後方向（乗員の乗降方向、かご室の奥行方向）」として行う。
【００１１】
実施の形態１．
図１は、本実施の形態１の機械室レスエレベータの平面図であり、図２は、本実施の形態１の機械室レスエレベータのかごおよび梁との関係を模式的に示す図である。図３は、機械室レスエレベータの主な構成要素を、図１の横方向（矢印ＩＩＩ）からみた状態を示す図である。
【００１２】
エレベータは、昇降路壁１０により画定された昇降路内を昇降するかご５および釣合いおもり１４と、左右一対のかご用ガイドレール１５と、左右一対の釣合いおもり用ガイドレール１６とを備える。左右一対のかご用ガイドレール１５および左右一対の釣合いおもり用ガイドレール１６はそれぞれ、昇降路内を上下に延びている。おもり後ろ落ちタイプの本実施の形態１では、釣合いおもり１４は、平面視、かご５の後方（乗降口と逆側）に配置される。
【００１３】
かご５は、左右一対のかご用ガイドレール１５の間に配置され、かご用ガイドレール１５によってかごの水平方向の移動を規制された状態で、昇降方向に案内される。同様に、釣合いおもり１４は、左右一対の釣合いおもり用ガイドレール１６の間に配置され、釣合いおもり用ガイドレール１６によって釣合いおもり１４の水平方向の移動を規制された状態で、昇降方向に案内される。
【００１４】
かご５および釣合いおもり１４は、ロープ７によって吊り下げられている。また、昇降路の頂部には、巻上機６が設けられており、ロープ７は、巻上機６の綱車に巻き掛けられている。詳細には、巻上機６の一方側から延びるロープ７は、かご５の下部に設けられたかご吊車９に巻き掛けられており、巻上機６の他方側から延びるロープ７は、かご側返し車１２および釣合いおもり側返し車１３のそれぞれに巻き回され、さらに、釣合いおもり吊車１１に巻き掛けられている。このようなロープ７の取り回しにおいて、巻上機６によりロープ７が駆動されると、かご５および釣合いおもり１４が相互に上下反対向きに昇降する。
【００１５】
昇降路内の上部において、建築構造体の荷重を支持せず、昇降路に設けられるエレベータ機器の荷重のみを支持する支持梁が、建築構造体の最上階床梁４に支持されている。最上階床梁４は、昇降路の最上階の床部に設けられた建築構造体の一部であり、昇降路を有する建築構造体の荷重を支持している。
【００１６】
一方、支持梁は、建築構造体の荷重を支持せず、少なくともかご５、釣合いおもり１４、ロープ７および前記巻上機の荷重を支持しており、第一の支持梁部１、第二の支持梁部２、第三の支持梁部３を含んでいる。支持梁（第一の支持梁部１、第二の支持梁部２、第三の支持梁部３）は、建築構造体の最上階床梁４の上に載置されるようにして固定されている。
【００１７】
第一の支持梁部１は、水平かつ相互に平行に延びる一対の梁部材を含んでいる。第一の支持梁部１の一対の梁部材はそれぞれ、最上階床梁４の対応する一対の梁部材それぞれを架橋するように延びており、最上階床梁４に固定されている。
【００１８】
第二の支持梁部２は、コ字状（Ｕ字状）の一対の梁部材を含んでいる。コ字状の梁部材はそれぞれ、第一の支持梁部１の異なる梁部材から垂直（上下方向、直交方向）に延びる一対の脚部分と、それら一対の脚部分の上部を接続するように延びる橋部分とを有している。
【００１９】
第三の支持梁部３は、水平かつ相互に平行に延びる一対の梁部材を含んでいる。第三の支持梁部３の一対の梁部材はそれぞれ、第一の支持梁部１の一対の梁部材と平行であり、第二の支持梁部２の対応する一対の脚部分を架橋している。
【００２０】
前述した巻上機６は、第三の支持梁部３の一方の梁部材に設置されている。第三の支持梁部３の他方の梁部材には、綱止め部８が設置される。また、第一の支持梁部１には、かご側返し車１２が設置されている。
【００２１】
第一の支持梁部１、第二の支持梁部２、第三の支持梁部３、および、巻上機６は、平面視、投影的にみて、かご５と昇降路壁１０との隙間に存在するため、かご５は、かご５の上部が最上階床梁４よりも上昇した状態で、最上階に着床することが可能となり、いわゆる機械室レスエレベータが構成されることとなる。
【００２２】
以上説明した本実施の形態１の機械室レスエレベータによれば、建築構造体に必ず存在する最上階フロアの最上階床梁に、エレベータの荷重を伝える梁（第一から第三の支持梁部）を配置することで、建築構造体にエレベータの荷重を支持させることが可能となる。よって、機械室レスエレベータのレールサイズダウンを可能とし、機器コストの低減を実現することができる。
【００２３】
また、最上階フロアには必ず存在する建築構造体の梁を利用することにより、荷重負荷する位置が建築設計段階で明確となり、建築構造体に対して、特別な位置に梁を準備する必要がなくなる。また、第一の支持梁部、第二の支持梁部、第三の支持梁部を配置することで、エレベータの荷重支持位置の制限が無くなる為、レイアウト性が向上する利点がある。
【００２４】
実施の形態２．
次に、図４に基づき、本発明の実施の形態２について説明する。図４は、本実施の形態２に関する、図３と同態様の図である。なお、本実施の形態２は、以下に説明する部分を除いては、上述した実施の形態１と同様であるものとする。
【００２５】
本実施の形態２では、実施の形態１の構成において、巻上機とかご側返し車との設置態様を入れ替えたものである。すなわち、本実施の形態２における巻上機６は、第一の支持梁部１に設置されており、かご側返し車１２は、第三の支持梁部３の一方の梁部材に設置されている。
【００２６】
このように構成された本実施の形態２においても、上記実施の形態１と同様な利点が得られている。また、本実施の形態２では、巻上機が第三の支持梁部に設置されている場合よりも、巻上機のメンテナンススペースを容易に確保することができる利点もある。
【００２７】
実施の形態３．
次に、図５および図６に基づき、本発明の実施の形態３について説明する。図５および図６はそれぞれ、本実施の形態３に関する、図１および図３と同態様の図である。なお、本実施の形態３は、以下に説明する部分を除いては、上述した実施の形態１と同様であるものとする。
【００２８】
おもり横落ちタイプの本実施の形態１では、釣合いおもり１４は、平面視、かご５の側方に配置されており、また、返し車が不要となっている。最上階床梁４の上方には、第一の支持梁部１０１、第二の支持梁部１０２および第三の支持梁部１０３が設けられている。
【００２９】
第一の支持梁部１０１は、水平かつ共通の直線上を延びる一対の梁部材を含んでいる。第一の支持梁部１０１は、最上階床梁４の一対の梁部材を架橋するように連続しては延びてなく、第一の支持梁部１０１の一対の梁部材のそれぞれが、最上階床梁４の対応する一つの梁部材から延びて終端している。
【００３０】
第二の支持梁部１０２は、第一の支持梁部１０１の対応する梁部材から垂直に延びる一対の柱部材を含んでいる。さらに、第三の支持梁部１０３は、水平に延び、且つ、第二の支持梁部１０２の一対の柱部材の上部を接続するように延びている。巻上機６は、第三の支持梁部１０３に設置されている。
【００３１】
第一の支持梁部１０１、第二の支持梁部１０２、第三の支持梁部１０３、および、巻上機６は、平面視、投影的にみて、かご５と昇降路壁１０との隙間に存在するため、本実施の形態３でも、かご５は、かご５の上部が最上階床梁４よりも上昇した状態で、最上階に着床することが可能となり、いわゆる機械室レスエレベータが構成されることとなる。
【００３２】
このように構成された本実施の形態３においても、上記実施の形態１と同様な利点が得られている。
【００３３】
以上、好ましい実施の形態を参照して本発明の内容を具体的に説明したが、本発明の基本的技術思想及び教示に基づいて、当業者であれば、種々の改変態様を採り得ることは自明である。
【符号の説明】
【００３４】
１、１０１  第一の支持梁、２、１０２  第二の支持梁、３、１０３  第三の支持梁、４  最上階床梁、５  かご、６  巻上機、７  ロープ、１０  昇降路壁、１４  釣合いおもり。
【図１】
2016002042.tif 000003
【図２】
2016002042.tif 000004
【図３】
2016002042.tif 000005
【図４】
2016002042.tif 000006
【図５】
2016002042.tif 000007
【図６】
2016002042.tif 000008
【国際調査報告】
2016002042.tif 000009
2016002042.tif 000010
2016002042.tif 000011
2016002042.tif 000012